(57)【要約】【課題】着信した発呼者情報の電話番号情報に併記する名前情報を、発呼者情報本来の名前情報とするか電子電話帳に登録済みの名前情報とするかを設定可能な電話装置を提供することを目的とする。【解決手段】ベル着信と共に発呼者通知サービスから入来する発呼者情報を受信する発呼者情報受信部２３と、受信した発呼者情報を記憶する発呼者情報記憶部２４と、電話番号等を登録する電子電話帳２２と、受信した発呼者情報等を表示する表示部２１と、表示部２１に表示する発呼者情報の名前情報の部分を、発呼者情報本来の名前情報とするか、電子電話帳２２に登録済みの名前情報とするかを設定する名前情報設定部２６とを備え、受信した発呼者情報を名前情報設定部２６の設定に基づいた名前情報で表示する構成とした。【選択図】　図１
2004072410.tif 000002
【特許請求の範囲】
【請求項１】
ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするかを設定する名前情報設定部とを備え、
受信した発呼者情報を名前情報設定部の設定に基づいた名前情報で表示することを特徴とする電話装置。
【請求項２】
ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするか、あるいは双方を併記するかを設定する名前情報設定部とを備え、
受信した発呼者情報を名前情報設定部の設定に基づいた名前情報で表示することを特徴とする電話装置。
【請求項３】
名前情報設定部の設定を手動で切り替えるための名前情報切り替え部を備え、発呼者情報の表示中にも名前情報の切り替えが可能なことを特徴とする請求項１，２の内のいずれか１記載の電話装置。
【請求項４】
発呼者情報の表示の際は、発呼者情報本来のものか電子電話帳に登録済みのものかという名前情報の所属を併記することを特徴とする請求項１，２，３の内のいずれか１記載の電話装置。
【発明の詳細な説明】
【０００１】
【発明の属する技術分野】
本発明は、発呼者通知サービスに対応した電話装置に関するものである。
【０００２】
【従来の技術】
発呼者通知サービスに対応した電話装置は、受信した発呼者情報を表示部に表示する機能を備えている。交換局から回線を通じて着呼者に送信される発呼者情報には、電話番号情報＋名前情報で構成されたネームディスプレイ対応型の発呼者情報と、電話番号情報のみで構成されたナンバーディスプレイ対応型の発呼者情報とがあり、着呼者が電話会社側とネームディスプレイの契約をしていればネームディスプレイ対応型の発呼者情報が着呼側に送信され、ナンバーディスプレイの契約をしていればナンバーディスプレイ対応型の発呼者情報が着呼側に送信される。因に、着呼者が電話会社側と発呼者通知サービスの契約をしていなければ、発呼者情報は着呼側に送信されない。
【０００３】
図７は従来の電話装置の表示部に表示された発呼者情報を示す模式図である。図７に示すように、発呼者通知サービスに対応した従来の電話装置１は、回線からネームディスプレイ対応型の発呼者情報が着信すると、発呼者の電話番号情報や名前情報からなる発呼者情報を表示部２に表示するようになっている。そして表示部２に表示中の発呼者情報を、そのまま電子電話帳（図示せず）に登録できるという便利さが売り物である。
【０００４】
【発明が解決しようとする課題】
しかしながら、以上のような従来の電話装置１では、着呼者が電話会社と結ぶ発呼者通知サービスの契約を、ナンバーディスプレイからネームディスプレイに切り替えた場合に支障が生じる。
【０００５】
即ち、以前は着呼者側の電話装置１にはナンバーディスプレイ対応型の電話番号情報のみからなる発呼者情報しか着信しなかったため、表示部２に表示する発呼者の電話番号情報に名前情報を併記するには、予め電子電話帳に発呼者の電話番号情報と名前情報とを対にして登録しておく必要があった。電子電話帳に発呼者の電話番号情報と名前情報を対にして登録してあれば、ナンバーディスプレイ対応型の発呼者情報が着信すると、「発呼者情報着信→電話番号情報を基に電子電話帳を検索→電子電話帳の該当する名前情報を読み出し、着信した電話番号情報と対にして表示」という流れで処理されて、着信した発呼者情報はネームディスプレイ対応型の発呼者情報に準じるものに加工されて表示部２に表示されていた。
【０００６】
ところが、着呼者が発呼者通知サービスの契約をネームディスプレイに切り替えた場合には、当然ながらネームディスプレイ対応型の発呼者情報が着信することになる。着呼側の電話装置１にネームディスプレイ対応型の発呼者情報が着信し、着信した発呼者情報の電話番号情報が既に電子電話帳に名前情報と対にして登録済みであれば、電話装置１は発呼者情報本来の名前情報を表示するのか電子電話帳に登録済みの名前情報を表示するのか、どちらを優先させて表示するのかを判断できないという課題を有していた。
【０００７】
本発明は以上の課題を解決し、着信した発呼者情報の電話番号情報に併記する名前情報を、発呼者情報本来の名前情報とするか電子電話帳に登録済みの名前情報とするかを設定可能な電話装置を提供することを目的とする。
【０００８】
【課題を解決するための手段】
この課題を解決するために本発明の電話装置は、ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするかを設定する名前情報設定部とを備え、
受信した発呼者情報を名前情報設定部の設定に基づいた名前情報で表示する構成としたものである。
【０００９】
また、本発明の電話装置は、ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするか、あるいは双方を併記するかを設定する名前情報設定部とを備え、
受信した発呼者情報を名前情報設定部の設定に基づいた名前情報で表示する構成としたものである。
【００１０】
この発明によれば、着信した発呼者情報の電話番号情報に併記する名前情報を、発呼者情報本来の名前情報とするか電子電話帳に登録済みの名前情報とするかを設定可能な電話装置を提供することができる。
【００１１】
【発明の実施の形態】
本発明の請求項１に記載の発明は、ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするかを設定する名前情報設定部とを備え、
受信した発呼者情報を名前情報設定部の設定に基づいた名前情報で表示する構成としたものであり、
発呼者情報本来の名前情報を優先表示するか電子電話帳に登録済みの名前情報を優先表示するかは、電子電話帳への登録内容の充実度に応じて利用者が自由に選択できるという作用を有する。
【００１２】
本発明の請求項２に記載の発明は、ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするか、あるいは双方を併記するかを設定する名前情報設定部とを備え、
受信した発呼者情報を名前情報設定部の設定に基づいた名前情報で表示する構成としたものであり、
発呼者情報本来の名前情報を優先表示するか電子電話帳に登録済みの名前情報を優先表示するか、あるいは双方を併記するかは、電子電話帳への登録内容の充実度に応じて利用者が自由に選択できるという作用を有する。
【００１３】
本発明の請求項３に記載の発明は、請求項１，２の内のいずれか１記載の発明において、名前情報設定部の設定を手動で切り替えるための名前情報切り替え部を備え、発呼者情報の表示中にも名前情報の切り替えが可能な構成としたものであり、
現在表示中の名前情報の内容に不満があれば、利用者が手動で名前情報の切り替え操作を行うことにより、表示中の名前情報に代えて即座に他の名前情報を表示できるという作用を有する。
【００１４】
本発明の請求項４に記載の発明は、請求項１，２，３の内のいずれか１記載の発明において、発呼者情報の表示の際は、発呼者情報本来のものか電子電話帳に登録済みのものかという名前情報の所属を併記する構成としたものであり、
表示中の名前情報の所属が確認できるので、現在の名前情報の設定内容に不満があれば名前情報の設定を他の所属に変更できるという作用を有する。
【００１５】
以下、本発明の実施の形態について説明する。
【００１６】
（実施の形態１）
本発明の一実施の形態の大要は、ネームディスプレイ対応型の発呼者情報が着信した場合、この発呼者名が電子電話帳に登録済みであれば、着呼側の利用者の設定した名前情報設定部の設定内容に従い、着信した発呼者情報あるいは電子電話帳の内から名前情報を選択して表示部に電話番号情報と共に表示するように工夫したことである。
【００１７】
また、必要に応じて現在の名前情報設定部の設定を手動で切り替えることで、表示中の名前情報を他の名前情報の表示に即座に切り替えられるように工夫したことである。
【００１８】
以下、本発明の一実施の形態の詳細を図１〜図６を参照しながら説明する。本発明の電話装置は、親機機能を備え子機と無線通信可能な機種であっても、親機機能を備えていない機種であってもどちらでも構わないし、またファクシミリ機能を備えている機種であっても構わないが、これから先は親機機能を備えた電話装置の説明をもってその他の電話装置の説明をも兼ねることにする。
【００１９】
図１は本発明の一実施の形態による電話装置の構成を示すブロック図である。図２は本発明の一実施の形態による電話装置に着信したナンバーディスプレイ対応型の発呼者情報の構成を示す模式図であり、図３は本発明の一実施の形態による電話装置に着信したネームディスプレイ対応型の発呼者情報の構成を示す模式図である。図４は本発明の一実施の形態による電話装置に発呼者情報が送信される過程を示す模式図である。図５は本発明の一実施の形態による電話装置に着信したナンバーディスプレイ対応型の発呼者情報の処理過程を示す模式図であり、図６は本発明の一実施の形態による電話装置に着信したネームディスプレイ対応型の発呼者情報の処理過程を示す模式図である。
【００２０】
図１において、回線に接続された電話装置１１には親機機能が備わっているので、子機１２を使用する際には一定の距離内（１００〜１５０ｍ）で双方向に無線通信可能である。
【００２１】
電話装置１１は制御部１３の制御の下に電話の相手側と音声信号の送受信を行う。電話装置１１には親機機能が備わっているので、無線送信部や無線受信部からなる無線通信部１４を通じて子機１２側と双方向に無線通信可能である。制御部１３はＣＰＵやＲＡＭやＲＯＭ等で構成されており、電話装置１１の制御全般を担っている。この電話装置１１にはコードで接続された受話器１５が備わっているので、受話器１５を取り上げてオフフックすると子機１２との無線通話（内線通話）や回線を通じての外部との通話（外線通話）が可能である。また、電話装置１１にはスピーカーホン通話部１６も備わっているので、スピーカーホン通話部１６のスイッチを押すと手放しでの通話を行うこともできる。この電話装置１１には留守番電話部１７が備わっているので、回線からベルが入来しても電話装置１１側や子機１２側で共にオフフックしない場合には、留守番電話部１７が作動して入来したメッセージの録音ができるようになっている。この際には、ベルが所定回数（例えば６回）鳴動してもオフフックされないと、制御部１３は切り替えスイッチ１８を通話回路部１９から留守番電話部１７側に切り替えるようになっている。電話をする場合は操作部２０を操作してダイヤルするのであるが、その際は表示部２１にダイヤルした電話番号を表示して確認することができるようになっている。あるいは、電話を掛ける相手が電子電話帳２２に登録済みであれば、電子電話帳２２で電話を掛ける相手の名前を検索し、目的の電話番号や名前を表示部２１に表示した後にオフフック操作をすれば電話を掛けることができる。
【００２２】
電話装置１１に回線からベルが着信すると、ベルとベルの間に発呼者情報が送られて来るが、この発呼者情報は着呼側の利用者が加入している電話会社が実施する発呼者通知サービスから送られて来るものであり、発呼者情報の内容は着呼側の利用者が契約している発呼者通知サービスの契約内容に応じたものである。発呼者情報が着信すると制御部１３が作動し、発呼者情報受信部２３がこの発呼者情報を受信して直ちに発呼者情報記憶部２４に記憶する。制御部１３は発呼者情報記憶部２４に記憶した発呼者情報を読み出し、ＬＣＤ等で構成された表示部２１に読み出した発呼者情報を表示しようとするのであるが、着信した発呼者情報が電話番号情報のみで構成されたものであるか、電話番号情報と名前情報とで構成されたものであるかにより、表示部２１に表示する過程及び表示する内容が異なることになる。
【００２３】
これから先は発呼者情報に関する説明が多くなるので、予め発呼者情報について詳細に説明しておくことにする。
【００２４】
図２に示すように、電話番号情報のみで構成されたものはナンバーディスプレイ対応型の発呼者情報であり、図３に示すように、電話番号情報と名前情報とで構成されたものはネームディスプレイ対応型の発呼者情報である。図２〜図３に示す発呼者情報の内の電話番号情報には、発呼者の電話番号や電話番号の非通知等の情報が属しており、日本国内の仕様では電話番号情報は２０文字以内と定められている。図３に示す発呼者情報の内の名前情報には、発呼者の名前（企業名）や名前の非通知等の情報が属しており、日本国内の仕様では１０文字以内の漢字や平仮名や片仮名や英数字の組み合わせと定められている。
【００２５】
図４に示すように、発呼者側や着呼者側にはそれぞれの地域における電話の加入者を管轄する交換局があるが、説明の便宜上、各々を発呼側交換局及び着呼側交換局と称することにする。発呼者がダイヤルをすると、発呼側交換局では発呼者の電話番号（発呼者の加入電話番号）を基に発呼者情報を作成する。作成する発呼者情報は図３に示すようなネームディスプレイ対応型のものであるが、発呼者（電話の加入者）の発呼者通知サービスの契約内容により電話番号情報としての「発呼者電話番号の通知・非通知」や、名前情報としての「発呼者名の通知・非通知」の部分が異なってくる。
【００２６】
具体的には、｛「０９２４７４７２＃＃」「○△・・×株式会社」｝という発呼者情報や、｛「０９２４７４７２＃＃」「ヒツウチ」｝という発呼者情報や、｛「ヒツウチ」｝という発呼者情報として作成されるが、それぞれの発呼者情報は電話番号情報と名前情報とからなるネームディスプレイ対応型の発呼者情報の一形態である。つまり、｛「ヒツウチ」｝という発呼者情報は｛「ヒツウチ」「ヒツウチ」｝という発呼者情報のことである。
【００２７】
図４に示すように、発呼側交換局で作成した発呼者情報は、発呼者がダイヤルした電話番号に基づき着呼側交換局に送信される。着呼側交換局では着呼者（電話の加入者）との発呼者通知サービスの契約内容により、発呼側交換局から送信された発呼者情報に手を加えずに着呼者へ送信したり、手を加えて着呼者へ送信したりする。
【００２８】
具体的には、着呼者が「ナンバーディスプレイサービス」と称される発呼者電話番号通知サービスに加入していれば、着呼者へ送信する発呼者情報は、図２に示すように名前情報を削除した「電話番号情報」のみのナンバーディスプレイ対応型となる。また、着呼者が「ネームディスプレイサービス」と称される発呼者名通知サービスに加入していれば、着呼者へ送信する発呼者情報は発呼側交換局から送信された発呼者情報そのままの、図３に示すような「電話番号情報＋名前情報」のネームディスプレイ対応型となる。
【００２９】
さて、再び図１に戻ると、着呼側の利用者の発呼者通知サービスとの契約内容がナンバーディスプレイサービスであれば、回線から電話装置１１に送られて来る発呼者情報はナンバーディスプレイ対応型となる。発呼者情報が着信すると制御部１３が作動し、発呼者情報受信部２３がこの発呼者情報を受信して直ちに発呼者情報記憶部２４に記憶する。図５に示すように、制御部１３は発呼者情報記憶部２４に記憶した発呼者情報を読み出し、この発呼者情報は情報部分が電話番号情報のみで構成されたナンバーディスプレイ対応型であることを解析する。そして、電話番号照合部２５により発呼者情報本来の電話番号情報と電子電話帳２２に登録済みの電話番号情報とを照合する。電子電話帳２２には発呼者の電話番号情報と名前情報とを対にした疑似発呼者情報が既に登録されているので、該当する電話番号情報があれば該当する電話番号情報と対になっている発呼者の名前情報を電子電話帳２２から読み出す。そして電子電話帳２２から読み出された発呼者の名前情報は、発呼者情報本来の電話番号情報に併記される形で表示部２１に表示される。つまり、ナンバーディスプレイ対応型の発呼者情報は、電話装置１１の表示部２１に表示される段階では疑似ネームディスプレイ対応型の発呼者情報に加工された訳である。
【００３０】
ところで、着呼側の利用者の発呼者通知サービスとの契約内容がネームディスプレイサービスであれば、回線から電話装置１１に送られて来る発呼者情報はネームディスプレイ対応型となる。このネームディスプレイ対応型の発呼者情報が着信した場合には、発呼者情報に該当する疑似発呼者情報が既に電子電話帳２２に登録済みであれば、発呼者情報の処理が多少複雑になる。
【００３１】
発呼者情報が着信すると制御部１３が作動し、発呼者情報受信部２３がこの発呼者情報を受信して直ちに発呼者情報記憶部２４に記憶する。図６に示すように、制御部１３は発呼者情報記憶部２４に記憶した発呼者情報を読み出し、この発呼者情報は情報部分が電話番号情報と名前情報とで構成されたネームディスプレイ対応型であることを解析する。
【００３２】
そして、制御部１３は名前情報設定部２６の現在の設定状況を確認する。この名前情報設定部２６は表示部２１に表示する発呼者情報の名前情報の部分を、着信した発呼者情報本来の名前情報とするか、電子電話帳２２に登録済みの名前情報とするかを予め利用者が設定しておくものである。しかし、表示部２１に発呼者情報を表示中であっても、必要に応じて利用者が名前情報切り替え部２７を手動により切り替えれば、予め設定された名前情報設定部２６の設定を名前情報切り替え部２７が切り替えた新たなる名前情報の設定に変更することができる。
【００３３】
例えば、名前情報設定部２６の現在の設定が発呼者情報優先モードであれば、制御部１３は読み出した（着信した）ネームディスプレイ対応型の発呼者情報をそのまま表示部２１に表示する。詳細な説明は省くものの、必要に応じて表示部２１に表示中の名前情報の所属が発呼者情報本来のものであることを併記させることも可能である。また、必要に応じて名前情報切り替え部２７を操作して、名前情報の設定を発呼者情報優先モードから電子電話帳優先モードに切り替えれば、現在表示されている表示内容の名前情報の部分を電子電話帳２２に登録済みの名前情報に切り替えて表示することも可能である。
【００３４】
例えば、名前情報設定部２６の現在の設定が電子電話帳優先モードであれば、制御部１３は読み出したネームディスプレイ対応型の発呼者情報の電話番号情報の部分の電話番号と、電子電話帳２２に登録済みの電話番号とを、電話番号照合部２５により照合する。電子電話帳２２には発呼者の電話番号情報と名前情報とを対にした疑似発呼者情報が既に登録されているので、該当する電話番号情報があれば該当する電話番号情報と対になっている発呼者の名前情報を電子電話帳２２から読み出す。そして電子電話帳２２から読み出された発呼者の名前情報は、発呼者情報の電話番号情報に併記される形で表示部２１に表示される。つまり、ネームディスプレイ対応型の発呼者情報は、電話装置１１の表示部２１に表示される段階では、電子電話帳２２の疑似発呼者情報を加味した疑似ネームディスプレイ対応型の発呼者情報に加工された訳である。詳細な説明は省くものの、必要に応じて表示部２１に表示中の名前情報の所属が電子電話帳２２に登録済みのものであることを併記させることも可能である。また、必要に応じて名前情報切り替え部２７を操作して、名前情報の設定を電子電話帳優先モードから発呼者情報優先モードに切り替えれば、現在表示されている表示内容の名前情報の部分を発呼者情報本来の名前情報に切り替えて表示することも可能である。
【００３５】
なお、電話番号照合部２５で照合した結果、該当する電話番号情報が電子電話帳２２に存在しない場合には、制御部１３は読み出したネームディスプレイ対応型の発呼者情報をそのまま表示部２１に表示する。前述したように、必要に応じて表示部２１に表示中の名前情報の所属が発呼者情報本来のものであることを併記させることも可能である。
【００３６】
また、名前情報設定部２６で設定可能な発呼者情報優先モード及び電子電話帳優先モードに加えて、発呼者情報本来の名前情報と電子電話帳２２に登録済みの名前情報とを併記する併記モードを新たに設けることも可能である。無論この際には、名前情報切り替え部２７の切り替え可能な選択肢にも併記モードの分を追加する必要がある。この併記モードの場合は表示部２１に表示する情報量が倍増するので、発呼者情報優先モード相当分と電子電話帳優先モード相当分とを交互に表示部２１に表示するようにしても良い。併記モードの場合にも、名前情報の所属の表示は前述した通りに行われる。
【００３７】
以上に述べたように、本発明では表示部に表示する名前情報を発呼者情報本来の名前情報とするか電子電話帳に登録済みの名前情報とするかを、着呼側の利用者が分かり易い方の名前情報の優先モードに予め設定しておくことが可能である。また、表示部に表示した名前情報が分かり難い場合には、名前情報の優先モードの設定を手動で切り替えて他の名前情報の表示に切り替えることも可能である。
【００３８】
【発明の効果】
以上のように本発明の電話装置によれば、ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするかを設定する名前情報設定部とを備え、
受信した発呼者情報を名前情報設定部の設定に基づいた名前情報で表示する構成としたものである。
【００３９】
このことにより、発呼者情報本来の名前情報を優先表示するか電子電話帳に登録済みの名前情報を優先表示するかは、電子電話帳への登録内容の充実度に応じて利用者が自由に選択できるという効果がある。
【００４０】
また、本発明の電話装置によれば、ベル着信と共に発呼者通知サービスから入来する発呼者情報を受信する発呼者情報受信部と、受信した発呼者情報を記憶する発呼者情報記憶部と、電話番号等を登録する電子電話帳と、受信した発呼者情報等を表示する表示部と、表示部に表示する発呼者情報の名前情報の部分を、発呼者情報本来の名前情報とするか、電子電話帳に登録済みの名前情報とするか、あるいは双方を併記するかを設定する名前情報設定部とを備え、
受信した発呼者情報を名前情報設定部の設定に基づいた名前情報で表示する構成としたものである。
【００４１】
このことにより、発呼者情報本来の名前情報を優先表示するか電子電話帳に登録済みの名前情報を優先表示するか、あるいは双方を併記するかは、電子電話帳への登録内容の充実度に応じて利用者が自由に選択できるという効果がある。
【図面の簡単な説明】
【図１】本発明の一実施の形態による電話装置の構成を示すブロック図
【図２】本発明の一実施の形態による電話装置に着信したナンバーディスプレイ対応型の発呼者情報の構成を示す模式図
【図３】本発明の一実施の形態による電話装置に着信したネームディスプレイ対応型の発呼者情報の構成を示す模式図
【図４】本発明の一実施の形態による電話装置に発呼者情報が送信される過程を示す模式図
【図５】本発明の一実施の形態による電話装置に着信したナンバーディスプレイ対応型の発呼者情報の処理過程を示す模式図
【図６】本発明の一実施の形態による電話装置に着信したネームディスプレイ対応型の発呼者情報の処理過程を示す模式図
【図７】従来の電話装置の表示部に表示された発呼者情報を示す模式図
【符号の説明】
１　電話装置
２　表示部
１１　電話装置
１２　子機
１３　制御部
１４　無線通信部
１５　受話器
１６　スピーカーホン通話部
１７　留守番電話部
１８　切り替えスイッチ
１９　通話回路部
２０　操作部
２１　表示部
２２　電子電話帳
２３　発呼者情報受信部
２４　発呼者情報記憶部
２５　電話番号照合部
２６　名前情報設定部
２７　名前情報切り替え部
【図１】
2004072410.tif 000003
【図２】
2004072410.tif 000004
【図３】
2004072410.tif 000005
【図４】
2004072410.tif 000006
【図５】
2004072410.tif 000007
【図６】
2004072410.tif 000008
【図７】
2004072410.tif 000009